(57)【要約】【課題】ギターにストラップを容易で快速に脱着可能なピン式ストラップバックルを提供する。【解決手段】係合部と、係合部と嵌合するスライド部と、を有し、係合部は挿入空間を有し、スライド部は係合部に対して移動可能であり、スライド部の変位により係合部が押圧され、これにより、挿入空間は、係止状態と、解放状態と、を有し、スライド部の変位方向は挿入空間の挿入方向と一致する係合子と、  挿入空間に挿入可能であり、挿入空間が係止状態にあるときに係止され、挿入空間が解放状態にあるときに解放されるピンと、を含む。【選択図】図５
0003165161.tif 000002
【実用新案登録請求の範囲】
【請求項１】
係合部（３０）と、前記係合部（３０）と嵌合するスライド部（４０）と、を有し、前記係合部（３０）は挿入空間（３１）を有し、前記スライド部（４０）は前記係合部（３０）に対して移動可能であり、前記スライド部（４０）の変位により前記係合部（３０）が押圧され、これにより、前記挿入空間（３１）は、係止状態と、解放状態と、を有し、前記スライド部（４０）の変位方向は前記挿入空間（３１）の挿入方向と一致する係合子（２０）と、
前記挿入空間（３１）に挿入可能であり、前記挿入空間（３１）が係止状態にあるときに係止され、前記挿入空間（３１）が解放状態にあるときに解放されるピン（５０）と、
を含むことを特徴とするピン式ストラップバックル。
【請求項２】
前記係合部（３０）は、止め縁固定座（３２）と、係り玉（３３）と、を含み、前記止め縁固定座（３２）の周面に凸縁（３２１）が環設され、前記挿入空間（３１）が前記止め縁固定座（３２）の内部に設けられ、前記スライド部（４０）は、滑止リング（４１）と、止めリング（４２）と、を含み、前記滑止リング（４１）は、一端が底縁（４１１）を有し、他端が前記止め縁固定座（３２）に嵌め込まれて前記凸縁（３２１）を覆い、前記底縁（４１１）が前記凸縁（３２１）に押付け、且つ前記滑止リング（４１）の他端が前記止めリング（４２）に押入れることにより、前記止めリング（４２）が前記凸縁（３２１）に押付け、前記凸縁（３２１）は前記底縁（４１１）と前記止めリング（４２）との間に移動可能であり、前記止め縁固定座（３２）の前記凸縁（３２１）の近傍に位置し前記止めリング（４２）に近接する側の周面に貫通孔（３２２）が複数設けられ、これらの前記貫通孔（３２２）に一つの係り玉（３３）がそれぞれ配され、前記止めリング（４２）が前記凸縁（３２１）に寄るときには、前記係り玉（３３）は前記止めリング（４２）に圧迫されて前記挿入空間（３１）から凸出して前記挿入空間（３１）が係止状態になり、なお、前記止めリング（４２）が前記凸縁（３２１）から離れるときには、前記凸縁（３２１）と前記止めリング（４２）との間に前記係り玉（３３）が収容され、前記係り玉（３３）が前記挿入空間（３１）から離れ、前記挿入空間（３１）が解放状態になることを特徴とする、請求項１に記載のピン式ストラップバックル。
【請求項３】
更に、弾性子（６０）を有し、前記弾性子（６０）は前記凸縁（３２１）と前記底縁（４１１）との間に設けられ、前記弾性子（６０）により前記凸縁（３２１）と前記底縁（４１１）とが互いに離れることを特徴とする、請求項２に記載のピン式ストラップバックル。
【請求項４】
前記止めリング（４２）には、前記係り玉（３３）を圧迫する圧迫面（４２２）が設けられることを特徴とする、請求項２に記載のピン式ストラップバックル。
【請求項５】
前記滑止リング（４１）の周面に滑止シワ（４１２）が設けられることを特徴とする、請求項２に記載のピン式ストラップバックル。
【請求項６】
前記ピン（５０）は円柱体であり、前記ピン（５０）に溝（５１）が環設され、前記溝（５１）に前記係り玉（３３）を係止可能であることを特徴とする、請求項２に記載のピン式ストラップバックル。
【請求項７】
前記ピン（５０）の前記溝（５１）から遠ざかった側の周面に外ねじ（５３）が設けられ、前記ピン（５０）が二つの挟み板（５４）を挿通し、前記ピン（５０）にナット（５５）が螺入しており、前記ナット（５５）により二つの前記挟み板（５４）が固定され、前記ナット（５５）に条状を呈するエンボス（５５１）が設けられることを特徴とする、請求項６に記載のピン式ストラップバックル。
【請求項８】
前記ピン（５０）の周面に階段（５２）が設けられ、前記階段（５２）が二つの前記挟み板（５４）を係って当接することを特徴とする、請求項７に記載のピン式ストラップバックル。
【請求項９】
前記止めリング（４２）の周面には、粘着剤を収容する粘着剤収容溝（４２１）が設けられることを特徴とする、請求項２に記載のピン式ストラップバックル。
【請求項１０】
前記止め縁固定座（３２）の前記止めリング（４２）から遠ざかった端面には、外側から内側へ延びて拡径する止め縁（３２３）が設けられることを特徴とする、請求項２に記載のピン式ストラップバックル。
【考案の詳細な説明】
【技術分野】
【０００１】
本考案は、ギター用ストラップに関し、特に、ギターにストラップを容易で快速に脱着可能なピン式ストラップバックルに関するものである。
【背景技術】
【０００２】
図１を参照する。ギター１には、二つのストラップバックル２を設けることが一般である。二つのストラップバックル２によりギター１にストラップ３を連結することができ、そうすると、ギター１の携帯が便利になる。図２を参照する。従来のストラップバックル２は、連結ツマミ４と、連接座５と、を含む。連結ツマミ４には、ギター１に締結されるネジ６が設けられる。連接座５には、ストラップ３を挟んで係る係りリング７が締結される。連接座５には、移動が規制され弾性子（図示せず）に付勢される固定ピン８が挿入される。連結ツマミ４には、固定ピン８に対応する固定溝９が設けられる。固定ピン８と固定溝９との係止により、連結ツマミ４と連接座５とが連結するようになり、すなわち、ギター１がストラップ３と連結する。
【０００３】
図３Ａ乃至図３Ｃを参照する。ギター１からストラップ３を取外したいときには、ユーザが固定ピン８を握って右方向１０Ａへ移動することにより、図３Ａに示すように、固定溝９から固定ピン８を離れて、連結ツマミ４と連接座５とを相対に摺動し、図３Ｂに示すように、例えば図面垂直方向１０Ｂへ連接座５を移動すると、図３Ｃに示すように、連結ツマミ４と連接座５とが分離する。なお、ギター１にストラップ３を連結したいときには、上記の操作を逆に実施する。
【０００４】
上記の説明から明らかなように、ギター１からストラップ３を取外すときには、二つの方向（右方向１０Ａ及び図面垂直方向１０Ｂ）へ力を加えることが必要であるため、ギター１からストラップ３を取外すことが一気に完成できず、そして指が過度に摩擦する問題があった。
【先行技術文献】
【特許文献】
【０００５】
【特許文献１】特開２００７−３１６１５１号公報
【考案の概要】
【考案が解決しようとする課題】
【０００６】
本考案の主な目的は、ギターにストラップを容易で快速に脱着可能なピン式ストラップバックルを提供することにある。
【課題を解決するための手段】
【０００７】
本考案のピン式ストラップバックルによると、係合部と、前記係合部と嵌合するスライド部と、を有し、前記係合部は挿入空間を有し、前記スライド部は前記係合部に対して移動可能であり、前記スライド部の変位により前記係合部が押圧され、これにより、前記挿入空間は、係止状態と、解放状態と、を有し、前記スライド部の変位方向は前記挿入空間の挿入方向と一致する係合子と、
前記挿入空間に挿入可能であり、前記挿入空間が係止状態にあるときに係止され、前記挿入空間が解放状態にあるときに解放されるピンと、
を含むことを特徴とする。
【０００８】
本考案のピン式ストラップバックルによると、前記係合部は、止め縁固定座と、係り玉と、を含み、前記止め縁固定座の周面に凸縁が環設され、前記挿入空間が前記止め縁固定座の内部に設けられ、前記スライド部は、滑止リングと、止めリングと、を含み、前記滑止リングは、一端が底縁を有し、他端が前記止め縁固定座に嵌め込まれて前記凸縁を覆い、前記底縁が前記凸縁に押付け、且つ前記滑止リングの他端が前記止めリングに押入れることにより、前記止めリングが前記凸縁に押付け、前記凸縁は前記底縁と前記止めリングとの間に移動可能であり、前記止め縁固定座の前記凸縁の近傍に位置し前記止めリングに近接する側の周面に貫通孔が複数設けられ、これらの前記貫通孔に一つの係り玉がそれぞれ配され、前記止めリングが前記凸縁に寄るときには、前記係り玉は前記止めリングに圧迫されて前記挿入空間から凸出して前記挿入空間が係止状態になり、なお、前記止めリングが前記凸縁から離れるときには、前記凸縁と前記止めリングとの間に前記係り玉が収容され、前記係り玉が前記挿入空間から離れ、前記挿入空間が解放状態になることを特徴とする。
【０００９】
本考案のピン式ストラップバックルによると、更に、弾性子を有し、前記弾性子は前記凸縁と前記底縁との間に設けられ、前記弾性子により前記凸縁と前記底縁とが互いに離れることを特徴とする。
【００１０】
本考案のピン式ストラップバックルによると、前記止めリングには、前記係り玉を圧迫する圧迫面が設けられることを特徴とする。
【００１１】
本考案のピン式ストラップバックルによると、前記滑止リングの周面に滑止シワが設けられることを特徴とする。
【００１２】
本考案のピン式ストラップバックルによると、前記ピンは円柱体であり、前記ピンに溝が環設され、前記溝に前記係り玉を係止可能であることを特徴とする。
【００１３】
本考案のピン式ストラップバックルによると、前記ピンの前記溝から遠ざかった側の周面に外ねじが設けられ、前記ピンが二つの挟み板を挿通し、前記ピンにナットが螺入しており、前記ナットにより二つの前記挟み板が固定され、前記ナットに条状を呈するエンボスが設けられることを特徴とする。
【００１４】
本考案のピン式ストラップバックルによると、前記ピンの周面に階段が設けられ、前記階段が二つの前記挟み板を係って当接することを特徴とする。
【００１５】
本考案のピン式ストラップバックルによると、前記止めリングの周面には、粘着剤を収容する粘着剤収容溝が設けられることを特徴とする。
【００１６】
本考案のピン式ストラップバックルによると、前記止め縁固定座の前記止めリングから遠ざかった端面には、外側から内側へ延びて拡径する止め縁が設けられることを特徴とする。
【考案の効果】
【００１７】
本考案のピン式ストラップバックルによれば、ギターにストラップを容易で快速に脱着することができるという効果を有する。
【図面の簡単な説明】
【００１８】
【図１】従来のストラップバックルの使用状態を示す模式図である。
【図２】従来のストラップバックルの断面図である。
【図３Ａ】従来のストラップバックルを取外す方法を示す模式図である。
【図３Ｂ】従来のストラップバックルを取外す方法を示す模式図である。
【図３Ｃ】従来のストラップバックルを取外す方法を示す模式図である。
【図４】本考案の一実施例の構造を示す模式図である。
【図５】本考案の一実施例の組合済み状態の断面図である。
【図６】本考案の一実施例の使用状態を示す模式図である。
【図７Ａ】本考案の一実施例の使用方法を示す模式図である。
【図７Ｂ】本考案の一実施例の使用方法を示す模式図である。
【図７Ｃ】本考案の一実施例の使用方法を示す模式図である。
【考案を実施するための最良の形態】
【００１９】
以下、本考案の実施の形態を図面に基づいて説明する。
まず、図４及び図５を参照する。本考案の一実施例のピン式ストラップバックルは、係合子２０と、ピン５０と、を含む。係合子２０は、係合部３０と、係合部３０と嵌合するスライド部４０と、を有する。係合部３０は挿入空間３１を有し、スライド部４０は係合部３０に対して移動可能であり、スライド部４０の変位により係合部３０が押圧され、係合部３０により、挿入空間３１は、係止状態と、解放状態と、を有する。スライド部４０の変位方向は挿入空間３１の挿入方向と一致する。ピン５０は、挿入空間３１に挿入可能であり、挿入空間３１が係止状態にあるときに係止され、挿入空間３１が解放状態にあるときに解放される。
【００２０】
係合部３０は、止め縁固定座３２と、係り玉３３と、を含む。止め縁固定座３２の周面に凸縁３２１が環設され、挿入空間３１が止め縁固定座３２の内部に設けられる。スライド部４０は、滑止リング４１と、止めリング４２と、を含む。滑止リング４１は、一端が底縁４１１を有し、他端が止め縁固定座３２に嵌め込まれて凸縁３２１を覆う。滑止リング４１の周面に滑止シワ４１２が設けられる。底縁４１１が凸縁３２１に押付け、且つ滑止リング４１の他端が止めリング４２に押入れることにより、止めリング４２が凸縁３２１に押付け、凸縁３２１は底縁４１１と止めリング４２との間に移動可能である。止めリング４２の周面には、粘着剤を収容する粘着剤収容溝４２１が設けられる。粘着剤収容溝４２１に粘着剤を収容することにより、滑止リング４１と止めリング４２とを接合することができ、滑止リング４１と止めリング４２とが分離することを防止できる。
【００２１】
止め縁固定座３２の凸縁３２１の近傍に位置し止めリング４２に近接する側の周面に貫通孔３２２が複数設けられる。貫通孔３２２は、三つあり、等距離を置いて止め縁固定座３２の周面に設けることが好ましい。これらの貫通孔３２２に一つの係り玉３３がそれぞれ配される。止めリング４２には、係り玉３３を圧迫する圧迫面４２２が設けられる。止めリング４２が凸縁３２１に寄るときには、係り玉３３は止めリング４２に圧迫されて挿入空間３１から凸出して挿入空間３１が係止状態になる。なお、止めリング４２が凸縁３２１から離れるときには、凸縁３２１と止めリング４２との間に係り玉３３が収容され、係り玉３３が挿入空間３１から離れ、挿入空間３１が解放状態になる。
【００２２】
本考案の一実施例のピン式ストラップバックルは、更に、弾性子６０を有し、弾性子６０は凸縁３２１と底縁４１１との間に設けられ、弾性子６０により凸縁３２１と底縁４１１とが互いに離れる。ピン５０は円柱体であり、ピン５０に溝５１が環設され、溝５１に係り玉３３を係止可能である。ピン５０の溝５１から遠ざかった側の周面に外ねじ５３が設けられ、ピン５０が二つの挟み板５４を挿通し、ピン５０にナット５５が螺入しており、ナット５５により二つの挟み板５４が固定される。ピン５０の周面に階段５２が設けられ、階段５２が二つの挟み板５４を係って当接する。ナット５５に条状を呈するエンボス５５１が設けられる。二つの挟み板５４の外面に面取り円弧面５４１がそれぞれ設けられる。止め縁固定座３２の止めリング４２から遠ざかった端面には、外側から内側へ延びて拡径する止め縁３２３が設けられる。
【００２３】
図６を参照する。本考案の一実施例のピン式ストラップバックルにより、ギター７０とストラップ８０とが連接される。ネジ９０が止め縁３２３を挿通してギター７０に締結すると、止め縁固定座がギター７０に固定される。ナット５５をねじ込むことにより二つの挟み板５４を互いに近接すると、ストラップ８０が二つの挟み板５４に挟まれる。
【００２４】
図７Ａ乃至図７Ｃを参照する。ギター７０からストラップ８０を取外したいときには、ユーザが滑止リング４１を握って下に移動することにより、止めリング４２が凸縁３２１から離れて、凸縁３２１と止めリング４２との間に係り玉３３を収容できるようになり、すなわち、図７Ａに示すように、係り玉３３が溝５１から離れる。次に、ピン５０を下に移動することによりピン５０が止め縁固定座３２から離れ、すなわち、図７Ｂに示すように、ピン５０が係合子２０から離れる。そうすると、図７Ｃに示すように、ピン５０と係合子２０とが分離する。なお、ギター７０にストラップ８０を連結したいときには、上記の操作を逆に実施する。
【００２５】
上記の説明から明らかなように、本考案の一実施例のピン式ストラップバックルによれば、ユーザは一つの手でスライド部４０を移動でき、スライド部４０を移動する方向がピン５０を引出す方向と一致するため、一つの動作によりピン５０を引出すことができ、また、ギター７０にストラップ８０を連結したいときには、挿入空間３１にピン５０を挿入するだけで済む。これにより、ギター７０にストラップ８０を容易で快速に脱着することができる。
【符号の説明】
【００２６】
１：ギター
２：ストラップバックル
３：ストラップ
４：連接ツマミ
５：連接座
６：ネジ
７：係りリング
８：固定ピン
９：固定溝
２０：係合子
３０：係合部
３１：挿入空間
３２：止め縁固定座
３３：係り玉
４０：スライド部
４１：滑止リング
４２：止めリング
５０：ピン
５１：溝
５２：階段
５３：外ねじ
５４：挟み板
５５：ナット
６０：弾性子
７０：ギター
８０：ストラップ
９０：ネジ
３２１：凸縁
３２２：貫通孔
３２３：止め縁
４１１：底縁
４１２：滑止シワ
４２１：粘着剤収容溝
４２２：圧迫面
５４１：面取り円弧面
５５１：エンボス
１０Ａ：右方向
１０Ｂ：図面垂直方向
【産業上の利用可能性】
【００２７】
本考案は、ストラップバックルに適用することができる。
【図１】
0003165161.tif 000003
【図２】
0003165161.tif 000004
【図３Ａ】
0003165161.tif 000005
【図３Ｂ】
0003165161.tif 000006
【図３Ｃ】
0003165161.tif 000007
【図４】
0003165161.tif 000008
【図５】
0003165161.tif 000009
【図６】
0003165161.tif 000010
【図７Ａ】
0003165161.tif 000011
【図７Ｂ】
0003165161.tif 000012
【図７Ｃ】
0003165161.tif 000013